(57)【要約】【課題】接着剤のベタツキによる作業性の低下、位置合わせの困難性等の問題の発生を効果的に防止しつつ、用紙の画像が設けられた面とは反対側の面を貼り合わせた記録物（フォトブック等）を生産性良く製造することができる記録物の製造方法を提供すること。【解決手段】本発明の記録物の製造方法は、基材と感圧式接着剤を含む材料で構成された接着剤層とを有する記録用紙の前記接着剤層が設けられた面とは反対側の面に、インクジェット法により画像を形成する画像形成工程と、前記画像が形成された前記記録用紙に筋を入れる筋入れ工程と、前記筋が設けられた部位で前記記録用紙を折りたたんだ状態で加圧し、画像が形成された面とは反対側の面同士を接着する加圧工程とを有することを特徴とする。【選択図】なし【特許請求の範囲】
【請求項１】
基材と、感圧式接着剤を含む材料で構成された接着剤層とを有する記録用紙の前記接着剤層が設けられた面とは反対側の面に、インクジェット法により画像を形成する画像形成工程と、
前記画像が形成された前記記録用紙に筋を入れる筋入れ工程と、
前記筋が設けられた部位で前記記録用紙を折りたたんだ状態で加圧し、前記画像が形成された面とは反対側の面同士を接着する加圧工程とを有することを特徴とする記録物の製造方法。
【請求項２】
前記基材は、ロール紙である請求項１に記載の記録物の製造方法。
【請求項３】
前記接着剤層は、ポリイソプレンを含む材料で構成されたものである請求項１または２に記載の記録物の製造方法。
【請求項４】
前記ポリイソプレンの重量平均分子量が１０万以上５０万以下である請求項３に記載の記録物の製造方法。
【請求項５】
前記接着剤層は、前記ポリイソプレンに加え、水溶性樹脂を含む材料で構成されたものである請求項３または４に記載の記録物の製造方法。
【請求項６】
前記接着剤層は、前記水溶性樹脂として、ポリビニルアルコールを含むものである請求項５に記載の記録物の製造方法。
【請求項７】
前記接着剤層中における前記ポリイソプレンの含有率をＸＡ［重量％］、前記接着剤層中における前記ポリビニルアルコールの含有率をＸＢ［重量％］とした場合、３≦ＸＡ／ＸＢ≦１９の関係を満足する請求項６に記載の記録物の製造方法。
【請求項８】
前記接着剤層の厚さは、１μｍ以上１０μｍ以下である請求項１ないし７のいずれか１項に記載の記録物の製造方法。
【請求項９】
前記筋入れ工程において、前記記録用紙の前記接着剤層が設けられた面と、その反対側の面とに、交互に前記筋を配した領域を形成する請求項１ないし８のいずれか１項に記載の記録物の製造方法。
【請求項１０】
さらに、前記記録用紙を断裁する断裁工程を有している請求項１ないし９のいずれか１項に記載の記録物の製造方法。
【請求項１１】
前記筋入れ工程と前記加圧工程との間に、前記断裁工程を有している請求項１０に記載の記録物の製造方法。
【請求項１２】
前記加圧工程での加圧圧力は、３ｋｇｆ／ｃｍ２以上３０ｋｇｆ／ｃｍ２以下である請求項１ないし１１のいずれか１項に記載の記録物の製造方法。
【請求項１３】
前記筋入れ工程は、前記記録用紙を線状に押し込む凸形状部材と、前記凸形状部材を受ける受け部材とを用いて行う請求項１ないし１２のいずれか１項に記載の記録物の製造方法。
【請求項１４】
前記記録物は、フォトブックである請求項１ないし１３のいずれか１項に記載の記録物の製造方法。
【請求項１５】
請求項１ないし１４のいずれか１項に記載の方法を用いて製造されたことを特徴とする記録物。
【発明の詳細な説明】
【技術分野】
【０００１】
本発明は、記録物の製造方法および記録物に関するものである。
【背景技術】
【０００２】
近年、利用者の画像データをプリントし、フォトブックの製本を行うサービスがある（例えば、特許文献１参照）。
現在、フォトブックを製造するサービスでは、よりデザイン性に優れた高品質のフォトブックを製造することが望まれている。
例えば、フォトブックには、両面プリントした複数の印画物を一辺を揃えて重ね合わせ、当該一辺を綴じ代として綴じて作成するものがある。このようにして、軽量で多ページのフォトブックを製造することができる。しかし、この一辺を中央にしてフォトブックを左右に見開いた場合、見開き２ページはその綴じた一辺で視覚的に不連続となる。これにより、見開き一面のインパクトある表現が難しく、片面ずつのレイアウトに制限され、表現の制約があるという問題があった。
【０００３】
一方、フォトブックとしては、片面プリントした印画物を折り畳んで、印画しない裏面を貼り合わせて製造するものもある。このように製造したフォトブックは、広い綴じ代を設けなくて済む場合もあり、このとき見開き一面が視覚的に一枚の画像に近い印象を観察者に与えることができ、レイアウトの自由度が増す。しかしながら、従来において、このような方法を用いた場合、接着剤のベタツキによる作業性の低下、位置合わせの困難性等の問題があった。
【０００４】
また、ホットメルト接着剤を用いることにより、前記のような問題の軽減を図ることができるが、このような場合は以下のような問題がある。すなわち、フォトブックの厚みが比較的大きい場合、厚さ方向の中心部付近にまで十分な熱を与えることが困難であり、接着性（接合力）を十分に高いものとすることが困難となる。また、仮に、厚さ方向の中心部付近においても接着性（接合力）を高いものとすることができたとしても、表面付近に過剰な熱エネルギーを付与することとなるため、フォトブックの生産性に劣り、省エネルギーの観点からも好ましくない。また、熱エネルギーにより、画像に悪影響が及ぶ可能性があり、さらには、フォトブックの耐久性にも悪影響が及ぶ可能性がある。
【先行技術文献】
【特許文献】
【０００５】
【特許文献１】特開平０９−４３８２７号公報
【発明の概要】
【発明が解決しようとする課題】
【０００６】
本発明の目的は、接着剤のベタツキによる作業性の低下、位置合わせの困難性等の問題の発生を効果的に防止しつつ、用紙の画像が設けられた面とは反対側の面を貼り合わせた記録物（フォトブック等）を生産性良く製造することができる記録物の製造方法を提供すること、また、位置合わせの困難性等の問題の発生が効果的に防止され、用紙の画像が設けられた面とは反対側の面を貼り合わせた記録物（フォトブック等）を提供することにある。
【課題を解決するための手段】
【０００７】
このような目的は、下記の本発明により達成される。
本発明の記録物の製造方法は、基材と、感圧式接着剤を含む材料で構成された接着剤層とを有する記録用紙の前記接着剤層が設けられた面とは反対側の面に、インクジェット法により画像を形成する画像形成工程と、
前記画像が形成された前記記録用紙に筋を入れる筋入れ工程と、
前記筋が設けられた部位で前記記録用紙を折りたたんだ状態で加圧し、前記画像が形成された面とは反対側の面同士を接着する加圧工程とを有することを特徴とする。
【０００８】
これにより、接着剤のベタツキによる作業性の低下、位置合わせの困難性等の問題の発生を効果的に防止しつつ、用紙の画像が設けられた面とは反対側の面を貼り合わせた記録物（フォトブック等）を生産性良く製造することができる記録物の製造方法を提供することができる。
【０００９】
本発明の記録物の製造方法では、前記基材は、ロール紙であることが好ましい。
これにより、ロール状の記録用紙を巻き取った状態（接着剤層が設けられた側の面と、その反対側の面が接触した状態。特に、比較的高い圧力で絞めつけられた状態。）で保存した場合であっても、接着剤層とそれに対向する基材との間で不本意な接着（ブロッキング）が発生することを確実に防止することができるとともに、必要時（記録物の製造時）には、加圧により十分な接着強度を容易に得ることができる。すなわち、基材がロール紙である場合に、本発明の効果がより顕著に発揮される。また、基材がロール紙である場合、ロール状の記録用紙を巻き取った状態で、適度なグリップ力が得られるため、記録用紙の巻き取り状態が不本意に緩んでしまうことが効果的に防止され、記録用紙の保存を好適に行うことができる。また、基材がロール紙であると、ページ数、ページ幅等の条件が異なる複数種の記録物を製造する場合であっても、半端な長さの記録用紙が無駄となることをより好適に防止しつつ、記録物の生産性を高いものとすることができる。すなわち、記録物を製造する際のオンデマンド性がより高いものとなる。
【００１０】
本発明の記録物の製造方法では、前記接着剤層は、ポリイソプレンを含む材料で構成されたものであることが好ましい。
これにより、接着剤層のベタツキを抑えつつ、加圧により、より高い接着強度を得ることができる。また、記録物の厚さが比較的大きいもの（接着すべき層が多数層積み重ねられたもの）であっても、より容易に、全体に加える圧力の均等性を高くすることができるため、各部位での接着強度のばらつきをより効果的に抑制することができる。また、接着に際して加熱が不要であるため、省エネルギーの観点からも好ましい。また、接着剤層は、より好適なグリップ力を有することとなり、記録用紙の搬送性をより良好なものとすることができ、記録物製造装置の搬送ローラーの空回り等をより確実に防止することができ、所望の画像を目的の部位により確実に形成することができる。また、記録物製造装置内で、基材に由来する紙粉の発生をより確実に防止することができ、記録物製造装置のメンテナンスがより容易となり、紙粉によるトラブルの発生をより効果的に防止することができ、記録物の生産性をより優れたものとすることができる。また、ポリイソプレンは、柔軟性の高い材料であるため、記録用紙の弾性が必要以上に大きくなることが防止され、取り扱いのし易さを保持することができるとともに、記録用紙の撓みによる接着剤層の割れ等を確実に防止することができ、記録用紙、および、これを用いて製造される記録物の信頼性、耐久性を優れたものとすることができる。また、ポリイソプレンを含むことにより、記録物の製造時においては、加圧により十分な接着強度を容易に得ることができる一方で、記録用紙の保存時等に、記録用紙を重ねて保存した場合や、ロール状の記録用紙を巻き取った状態においては、不本意な接着（ブロッキング）が発生することがより確実に防止される。また、接着剤として一般的に用いられる酢酸ビニル系やアクリル系の樹脂のような特有の臭いを発することもない。
【００１１】
本発明の記録物の製造方法では、前記ポリイソプレンの重量平均分子量が１０万以上５０万以下であることが好ましい。
これにより、加熱することなく４０℃以下の室温下での加圧のみで、優れた接着性が得られる。
【００１２】
本発明の記録物の製造方法では、前記接着剤層は、前記ポリイソプレンに加え、水溶性樹脂を含む材料で構成されたものであることが好ましい。
これにより、接着剤層による接着性を特に優れたものとすることができ、記録物においてより高い接着強度を得ることができる。また、記録物の製造において、より低い圧力で十分な接着強度を得ることができるため、記録物の製造装置の小型化、簡略化を図ることができる。
【００１３】
本発明の記録物の製造方法では、前記接着剤層は、前記水溶性樹脂として、ポリビニルアルコールを含むものであることが好ましい。
これにより、接着剤層による接着性をさらに向上させることができる。
本発明の記録物の製造方法では、前記接着剤層中における前記ポリイソプレンの含有率をＸＡ［重量％］、前記接着剤層中における前記ポリビニルアルコールの含有率をＸＢ［重量％］とした場合、３≦ＸＡ／ＸＢ≦１９の関係を満足することが好ましい。
これにより、接着剤層による接着性をさらに優れたものとすることができる。
【００１４】
本発明の記録物の製造方法では、前記接着剤層の厚さは、１μｍ以上１０μｍ以下であることが好ましい。
これにより、最終的に得られる記録物における接着強度、記録物の耐久性を特に優れたものとすることができる。
【００１５】
本発明の記録物の製造方法では、前記筋入れ工程において、前記記録用紙の前記接着剤層が設けられた面と、その反対側の面とに、交互に前記筋を配した領域を形成することが好ましい。
これにより、少ない枚数の記録用紙を用いて、ページ数の多い記録物を好適に製造することができる。
【００１６】
本発明の記録物の製造方法では、さらに、前記記録用紙を断裁する断裁工程を有していることが好ましい。
これにより、例えば、記録物の製造にロール状の記録用紙を好適に用いることができ、ページ数、ページ幅等の条件が異なる複数種の記録物を高い生産性で製造することができる。
【００１７】
本発明の記録物の製造方法では、前記筋入れ工程と前記加圧工程との間に、前記断裁工程を有していることが好ましい。
本発明の記録物の製造方法では、前記加圧工程での加圧圧力は、３ｋｇｆ／ｃｍ２以上３０ｋｇｆ／ｃｍ２以下であることが好ましい。
これにより、記録物製造装置の大型化を防止しつつ、より優れた生産性で、接着強度の大きい記録物をより確実に製造することができる。
【００１８】
本発明の記録物の製造方法では、前記筋入れ工程は、前記記録用紙を線状に押し込む凸形状部材と、前記凸形状部材を受ける受け部材とを用いて行うことが好ましい。
これにより、筋入れ工程において、所望の形状の筋を短時間で効率よく入れることができ、記録物の生産性を特に優れたものとすることができるとともに、製造される記録物の信頼性、高級感を特に優れたものとすることができる。
【００１９】
本発明の記録物の製造方法では、前記記録物は、フォトブックであることが好ましい。
フォトブックは、鑑賞用のものであり、見開き一面のインパクトある表現などが求められるものであるが、従来においては、このような表現が困難であった。これに対し、本発明では、見開き一面のインパクトある表現などが可能である。すなわち、記録物としてのフォトブックに適用した場合に、本発明の効果がより顕著に発揮される。
【００２０】
本発明の記録物は、本発明の方法を用いて製造されたことを特徴とする。
これにより、位置合わせの困難性等の問題の発生が効果的に防止され、用紙の画像が設けられた面とは反対側の面を貼り合わせた記録物（フォトブック等）を提供することができる。
【図面の簡単な説明】
【００２１】
【図１】本発明の記録物の製造方法の好適な実施形態を示す工程図である。
【図２】本実施形態における記録物製造装置のブロック図である。
【図３】本実施形態における記録物製造装置の側面図である。
【図４】本実施形態におけるクリーサーの説明図（正面図および側面図）である。
【図５】記録用紙の一例を模式的に示す断面図である。
【図６】本発明の記録物の一例を模式的に示す断面図である。
【発明を実施するための形態】
【００２２】
以下、本発明の好適な実施形態について、添付した図面を参照しつつ説明する。
図１は、本発明の記録物の製造方法の好適な実施形態を示す工程図であり、図２は、本実施形態における記録物製造装置のブロック図であり、図３は、本実施形態における記録物製造装置の側面図であり、図４は、本実施形態におけるクリーサーの説明図（正面図および側面図）であり、図５は、記録用紙の一例を模式的に示す断面図であり、図６は、本発明の記録物の一例を模式的に示す断面図である。本明細書で参照する図面は、一部を強調して示した模式図であり、実際の寸法等を反映するものではない。
【００２３】
図１に示すように、本実施形態の記録物Ｓ１００の製造方法は、基材Ｓ１上に、感圧式接着剤を含む材料で構成された接着剤層Ｓ２を有する記録用紙（用紙）Ｓ１０を用意し（１ａ）、その接着剤層Ｓ２が設けられた面とは反対側の面に、インクジェット法により画像（印刷部）Ｓ３を形成する画像形成工程（１ｂ）と、画像Ｓ３が形成された記録用紙Ｓ１０に筋Ｓ４を入れる筋入れ工程（１ｃ）と、記録用紙Ｓ１０を所定の長さに断裁する断裁工程（１ｄ）と、筋Ｓ４が設けられた部位で記録用紙Ｓ１０を折りたたんだ状態で加圧し、画像Ｓ３が形成された面とは反対側の面（接着剤層Ｓ２が設けられた面）同士を接着する加圧工程（１ｅ）とを有する。これにより、接着剤のベタツキによる作業性の低下、位置合わせの困難性等の問題の発生を効果的に防止しつつ、用紙Ｓ１０の画像Ｓ３が設けられた面とは反対側の面を貼り合わせた記録物Ｓ１００を生産性良く製造することができる。
【００２４】
ところで、製本には平綴じや無線綴じ等の種類がある。平綴じは、糸や針金等により複数枚の用紙を縫い合わせる製本方法である。無線綴じは、書籍となる背の部分を接着剤により固める製本方法である。
これらの製本方法では、背の部分が固められてしまう。よって、見開きページで１枚の写真が見えるような写真集を作成した場合、左右のページが開ききらないため、左右のページのつなぎ目が見にくいという問題がある。また、左右のページでずれが生ずる場合もあるため、このような製本方法は写真集等では採用しにくい。
【００２５】
これに対し、本発明では、製本後においても左右のページを開ききり、左右のページが連続して見やすい記録物を提供することができる。
特に、本実施形態では、印刷位置や筋入れの位置のずれを防止し、審美性に優れた記録物を提供することができる。
【００２６】
≪記録物製造装置≫
まず、本発明の記録物の製造方法に用いることのできる記録物製造装置について説明する。
本実施形態で用いる記録物製造装置１は、給紙ユニット１０と、送り出しユニット２０と、搬送ユニット（搬送部）３０と、挟持ユニット（挟持部）４０と、排出ユニット５０と、印刷ユニット６０と、クリーサーユニット（筋入れ部）７０と、断裁ユニット（断裁部）８０と、コントローラー９０と、検出器群９５と、加圧手段９７とを備える。
【００２７】
コントローラー９０は、コンピューター２に接続するためのインターフェース９１を備える。これにより、コンピューター２と双方向通信を行うことができる。そして、コンピューター２にインストールされたプリンタドライバを介して、記録物製造装置１に印刷指令が送信される。
コントローラー９０は、さらに、演算装置であるＣＰＵ(Central Processing Unit)９２と、記憶装置としてのメモリー９３と、各ユニットを制御するユニット制御回路９４を備える。これにより、記録物製造装置１から送られた印刷指令を解釈し、後述する各ユニットを制御する。
【００２８】
給紙ユニット１０は、給紙ロール軸１１と給紙ロールモーター１２を備える。給紙ロール軸１１には、ロール状の用紙Ｓ１０がセットされる。また、給紙ロール軸１１には、不図示の歯車等を介して給紙ロールモーター１２の出力軸が動力伝達可能に接続されている。これにより、コントローラー９０が給紙ロールモーター１２を制御することにより、給紙ロール軸１１の回転を制御することができる。給紙ロール軸１１は、コントローラー９０により、後述する送り出しローラー２１ａとの間で用紙Ｓ１０が若干弛むように回転が制御される。そして、給紙ロール軸１１と送り出しローラー２１ａとの間で張力が生じないようにされる。
【００２９】
送り出しユニット２０は、送り出しローラー２１ａと従動ローラー２１ｂと送り出しモーター２２を備える。送り出しローラー２１ａと従動ローラー２１ｂは、用紙Ｓ１０を挟む。送り出しローラー２１ａの軸には、不図示の歯車等を介して送り出しモーター２２の出力軸が動力伝達可能に接続されている。これにより、コントローラー９０が送り出しモーター２２を制御することにより、送り出しローラー２１ａの回転を制御することができる。従動ローラー２１ｂは、送り出しローラー２１ａおよび用紙Ｓ１０の摩擦力により従動回転する。
【００３０】
送り出しローラー２１ａは、コントローラー９０により、給紙ロール軸１１から引き出された用紙Ｓ１０を後述する搬送ローラー３１ａに適宜送り出すように制御される。
搬送ユニット３０は、搬送ローラー３１ａと従動ローラー３１ｂと搬送モーター３２を備える。搬送ローラー３１ａと従動ローラー３１ｂは、用紙Ｓ１０を挟む。搬送ローラー３１ａの軸には、不図示の歯車等を介して搬送モーター３２の出力軸が動力伝達可能に接続されている。これにより、コントローラー９０が搬送モーター３２を制御することにより、搬送ローラー３１ａの回転を制御することができる。従動ローラー３１ｂは、搬送ローラー３１ａおよび用紙Ｓ１０の摩擦力により従動回転する。
【００３１】
搬送ローラー３１ａは、コントローラー９０により、送り出しローラー２１ａから送り出された用紙Ｓ１０を印刷ヘッド６４の下方に搬送する。後述するように、印刷ヘッド６４による印刷は、キャリッジ６１の紙幅方向の移動と、用紙Ｓ１０の搬送とが交互に行われることにより行われる。搬送ローラー３１ａは、用紙Ｓ１０の搬送を担う。
挟持ユニット４０は、下側挟持ローラー４１ａと上側挟持ローラー４１ｂと下側挟持モーター４２ａと上側挟持モーター４２ｂを備える。下側挟持ローラー４１ａの軸には、不図示の歯車等を介して下側挟持モーター４２ａの出力軸が動力伝達可能に接続されている。また、上側挟持ローラー４１ｂの軸には、不図示の歯車等を介して上側挟持モーター４２ｂの出力軸が動力伝達可能に接続されている。
【００３２】
これにより、コントローラー９０が下側挟持モーター４２ａおよび上側挟持モーター４２ｂを制御することにより、下側挟持ローラー４１ａおよび上側挟持ローラー４１ｂによる用紙Ｓ１０の搬送を制御することができる。すなわち、制御により、用紙Ｓ１０の搬送および用紙Ｓ１０の移動の制限を行うことができる。
ここでは、２つの挟持モーター４２ａ、４２ｂの動力により用紙Ｓ１０の移動を制限することとしたが、挟持モーターを１つのみとし、他方の挟持ローラーを従動ローラーとすることとしてもよい。
【００３３】
排出ユニット５０は、上流側排出ローラー５１ａと、従動ローラー５１ｂと、上流側排出モーター５２を備える。また、排出ユニット５０は、さらに、下流側排出ローラー５５ａと、従動ローラー５５ｂと、下流側排出モーター５６を備える。
上流側排出ローラー５１ａの軸には、不図示の歯車等を介して上流側排出モーター５２の出力軸が動力伝達可能に接続されている。また、下流側排出ローラー５５ａの軸には、不図示の歯車等を介して下流側排出モーター５６の出力軸が動力伝達可能に接続されている。従動ローラー５１ｂは、上流側排出ローラー５１ａおよび用紙Ｓ１０の摩擦力により従動回転する。従動ローラー５５ｂは、下流側排出ローラー５５ａおよび用紙Ｓ１０の摩擦力により従動回転する。
【００３４】
これにより、画像形成および筋入れが完了した用紙Ｓ１０を排紙側に搬送し、後述する断裁ユニット８０により断裁された用紙Ｓ１０を、折り畳まれた状態で排紙トレイ５３に排紙する。
印刷ユニット６０は、インクジェット法により画像を形成するものであり、画像形成工程は、このユニットで行われる。
【００３５】
インクジェット法を採用することにより、適用する用紙の大きさの範囲をより広いものとすることができ、例えば、長尺の用紙（ロール紙等）を好適に用いることができる、見開きページで継ぎ目のない画像を好適に形成することができ、最終的に得られる記録物において、画像のダイナミック感、高級感を特に優れたものとすることができる。また、画像形成のための装置として比較的小型のものを用いることができる。さらに、超光沢、セミグロス、マット調等、様々な種類の記録媒体（基材）に好適に適用することができるため、オフセット印刷やレーザープリンターでは不可能である、いわゆるファインアートと呼ばれる分野にも使用可能な多様な質感の記録物を製造することも可能である。
【００３６】
本工程で形成される画像は、例えば、利用者（顧客）が持ち込んだＳＤカード、ＵＳＢメモリー、ＤＶＤ等の記録媒体に記録されたデータによるものであってもよいし、インターネット回線等を通じて受信されたデータによるものであってもよい。
画像形成は、給紙ロール軸１１から供給された用紙が搬送ローラー３１ａによって断続的に搬送され、かつ、印刷ヘッド６４がインクを吐出することにより行われる。
【００３７】
用紙Ｓ１０に画像Ｓ３を形成しているときにおいて、下側挟持ローラー４１ａおよび上側挟持ローラー４１ｂは、搬送ローラー３１ａとの間で所定の張力が生じる程度に用紙Ｓ１０を挟持し搬送する。
用紙Ｓ１０の搬送量は、搬送ローラー３１ａの回転量により常にコントローラー９０に把握される。また、コントローラー９０は、用紙Ｓ１０において筋入れを行うべき位置を把握している。そのため、コントローラー９０は、搬送量が所定の搬送量になると、クリーサーユニット７０に筋入れを行わせる。
【００３８】
印刷ユニット６０は、キャリッジ６１とガイド軸６２と印刷ヘッド６４を備える。ガイド軸６２は、搬送方向に直交する方向に延びる。ガイド軸６２は、記録物製造装置１の本体ケースに支持され、ガイド軸６２の長手方向に沿って往復移動可能な状態でキャリッジ６１が摺動連結されている。キャリッジ６１には、不図示のキャリッジモーターおよびベルトが接続される。これにより、キャリッジ６１は、前述のガイド軸６２の長手方向に往復移動される。
【００３９】
また、キャリッジ６１は、印刷ヘッド（ヘッド）６４を搭載する。印刷ヘッド６４は、インクを用紙Ｓ１０の基材Ｓ１（接着剤層Ｓ２が設けられた面とは反対側の面）に吐出する印刷ヘッド６４である。このようにすることで、印刷ヘッド６４が搬送方向と交差する方向に往復移動可能であるので、用紙Ｓ１０の搬送とキャリッジ６１の往復移動を繰り返すことにより、用紙Ｓ１０上全面に画像（印刷部）Ｓ３を形成することができる。なお、用紙Ｓ１０については、後に詳細に説明する。
【００４０】
クリーサーユニット７０は、筋入れ工程が行われるユニットである。
本実施形態では、クリーサーユニット７０は、用紙Ｓ１０を線状に押し込む凸形状部材としての回転ブレード７１と、これを受ける受け部材としてのブレード受け部材７２を備える。これにより、筋入れ工程において、所望の形状の筋を短時間で効率よく入れることができ、記録物Ｓ１００の生産性を特に優れたものとすることができるとともに、製造される記録物Ｓ１００の信頼性、高級感を特に優れたものとすることができる。
【００４１】
回転ブレード７１は、軸７１ａとその円周にわたって形成されたブレード７１ｂを有する。そして、軸７１ａを中心として回転可能であるとともに、用紙Ｓ１０の幅方向に移動可能である。ブレード受け部材７２は、側面視において鋭角断面を有しており、ブレード７１ｂ先端もこれに合わせた鋭角断面を有する。ただし、ブレード７１ｂ先端は鋭角を有するものの、用紙Ｓ１０を断裁するまでの応力は生じさせない。
【００４２】
よって、ブレード７１ｂとブレード受け部材７２とで用紙Ｓ１０を挟み、回転ブレード７１が用紙Ｓ１０の幅方向に移動することにより、ブレード７１ｂ先端による応力が用紙Ｓ１０に幅方向に延びる線状の筋（折り目）を形成する。
これら、回転ブレード７１およびブレード受け部材７２は、鉄、ニッケル、アルミ、および、アルマイトなどの金属材料を用いることができる。また、金属を用いず樹脂で形成したものを用いてもよい。
【００４３】
なお、ここでは、ブレード受け部材７２の断面を鋭角断面として説明したが、横長の矩形断面であってもよいし、縦長の矩形断面としてもよい。また、回転ブレード７１の代わりに回転しないブレードを設けて、単に、用紙幅方向にスライドすることによって筋を形成することとしてもよい。
また、クリーサーユニット７０は、筋入れを行う際に、破線状に切り込みを入れるものであってもよい。
【００４４】
また、クリーサーユニット７０は、交換可能とすることもできる。これによりクリーサーユニット７０のメンテナンスを行いやすくするとともに、ブレード受け部材７２の深さ、幅、または、形状の異なるものを取り付けることとして、用紙Ｓ１０に最適なクリーサーユニット７０を用いることができる。
クリーサーユニット７０により筋入れを行わせるタイミングにおいて、コントローラー９０は、下側挟持ローラー４１ａおよび上側挟持ローラー４１ｂの回転を停止させ固定させる。すなわち、用紙Ｓ１０を固定させる。
【００４５】
用紙Ｓ１０を搬送方向に関して固定した後、コントローラー９０はクリーサーユニット７０に対して用紙Ｓ１０に筋入れを行わせる指令を送出する。このとき、前述のように、用紙Ｓ１０は、搬送方向に関して固定されているので、クリーサーユニット７０によって筋入れがされたとしても、用紙Ｓ１０はほとんど動かない。このようにすることによって、筋入れ動作時において用紙Ｓ１０は搬送方向に関して移動しないので、後続する用紙Ｓ１０に対する印刷において印刷ずれが生じない。
【００４６】
仮に、印刷ずれが生じたとすれば、印刷位置と筋入れ位置にずれが生じてしまう。その場合、記録物Ｓ１００の折り目の位置がずれてしまい、審美性の高い記録物Ｓ１００を製作することができないが、記録物製造装置１によれば、クリーサーユニット７０における筋入れ動作において印刷位置ずれが生じないので、審美性の高い記録物Ｓ１００を提供することができる。
【００４７】
図３に示す構成では、記録物製造装置１は、クリーサーユニット７０を複数（２組）有しており、回転ブレード７１が印刷面側（用紙Ｓ１０の接着剤層Ｓ２が設けられた面とは反対の面側）に設けられたクリーサーユニット７０と、回転ブレード７１が接着剤層Ｓ２が設けられた面側に設けられたクリーサーユニット７０とを備えている。このような構成であることにより、筋入れ工程において、用紙Ｓ１０の両面（接着剤層が設けられた面、および、その反対側の面）に、筋Ｓ４を好適に形成することができる。例えば、用紙Ｓ１０の接着剤層が設けられた面と、その反対側の面とに、交互に筋Ｓ４を配した領域を形成することができる。これにより、少ない枚数の記録用紙Ｓ１０を用いて、ページ数の多い記録物Ｓ１００を好適に製造することができる。
【００４８】
断裁ユニット８０は、断裁工程が行われるユニットである。断裁工程を行うことにより、例えば、記録物の製造にロール状の記録用紙Ｓ１０を好適に用いることができ、ページ数、ページ幅等の条件が異なる複数種の記録物Ｓ１００を高い生産性で製造することができる。
断裁ユニット８０は、カッター８１とカッター受け部材８２を備える。カッター８１は、例えば前述の図４に示した回転ブレード７１のブレード７１ｂ先端をより鋭利なものを採用することで実現することができる。また、カッター受け部材８２は、ブレード受け部材７２の材質をより硬質なものを採用することで実現することができる。
【００４９】
このような構成とすることで、カッター８１とカッター受け部材８２とで、用紙Ｓ１０を挟み、カッター８１を用紙Ｓ１０の幅方向に移動させることにより、用紙Ｓ１０を所定の位置で断裁することができる。
本実施形態では、断裁ユニット８０は、クリーサーユニット（筋入れ部）７０よりも下流側であって、かつ、加圧手段９７よりも上流側に設けられている。すなわち、筋入れ工程と加圧工程との間に断裁工程を有しており、クリーサーユニット７０により筋Ｓ４が設けられた用紙Ｓ１０が加圧手段に搬送される前に、断裁ユニット８０により断裁されるように構成されている。
【００５０】
また、断裁ユニット８０の一部として、ドットインパクトヘッド８４とプラテン８５を備えることができる。ドットインパクトヘッド８４は、用紙Ｓ１０の裏面（画像Ｓ３が形成される面とは反対側の面）に、印刷情報および前述のカッター８１によって断裁される位置を示すマーカーを印刷する。そして、このマーカーが後述する光学センサー９５ａにより読み取られることにより、正確な断裁位置を認識可能とする。
【００５１】
記録物製造装置１は、検出器群９５の一つとして光学センサー９５ａを備える。光学センサー９５ａは、搬送方向に関して、上流側排出ローラー５１ａおよび下流側排出ローラー５５ａとの間に設けられる。また、光学センサー９５ａは、前述のように用紙Ｓ１０に形成されたマーカーを読み取るべく、用紙Ｓ１０の裏面側に設けられる。
このように、光学センサー９５ａを設けることにより、コントローラー９０は、用紙Ｓ１０の切断位置（断裁位置）を正確に認識することができる。そして、カッター８１を適切に制御することにより、正確な位置で用紙Ｓ１０を断裁することができる。
【００５２】
断裁が完了した用紙Ｓ１０は、筋Ｓ４で折り曲げられた状態（記録用紙Ｓ１０の印刷部Ｓ３が形成された面とは反対の面同士を対向させた状態）で、排紙トレイ５３に排紙（スタック）され、加圧手段９７による加圧に供される（加圧工程）。これにより、接着剤層Ｓ２が設けられた側の面同士が密着・接合し、記録物Ｓ１００が得られる。
加圧手段９７は、折り畳まれた状態の用紙Ｓ１０の少なくも一部を押圧するものであればよいが、折り畳まれた状態の用紙Ｓ１０の全面を押圧するものであるのが好ましい。これにより、各部位での接合強度の均一性をより高いものとすることができ、記録物Ｓ１００の信頼性を特に優れたものとすることができる。
【００５３】
加圧手段９７による加圧圧力は、３ｋｇｆ／ｃｍ２以上３０ｋｇｆ／ｃｍ２以下であるのが好ましく、７ｋｇｆ／ｃｍ２以上１３ｋｇｆ／ｃｍ２以下であるのがより好ましい。これにより、記録物製造装置１の大型化を防止しつつ、より優れた生産性で、接着強度の大きい記録物Ｓ１００をより確実に製造することができる。これに対し、圧力が前記下限値未満であると、接着剤層Ｓ２のパターン、厚さ等によっては、十分な接着強度を得るのが困難になる可能性がある。また、圧力が前記上限値を超えると、画像形成に用いたインクの組成等によっては、他ページへの色移りの可能性がある。
前記の説明では、各工程について、順に説明を行ったが、実際にはこれらは同時並行的に実行される。
【００５４】
≪記録用紙≫
次に、記録用紙Ｓ１０について説明する。
図５に示すように、記録用紙Ｓ１０は、基材Ｓ１と、接着剤層Ｓ２とを有している。
基材Ｓ１は、後に詳述する接着剤層Ｓ２を保持する機能を有するものである。
基材Ｓ１としては、例えば、普通紙、コート紙、写真用紙、オフセット印刷本紙等の各種紙、プラスチックフィルム、金属箔、布等が挙げられる。
【００５５】
基材Ｓ１の厚さは、特に限定されないが、３０μｍ以上であるのが好ましく、５０μｍ以上２００μｍ以下であるのがより好ましい。このように、基材Ｓ１の厚みが比較的大きいものであると、ホットメルト接着剤を用いた場合等には、厚さ方向の中心部付近にまで十分な熱を与えることが困難であり、接着性（接合力）を十分に高いものとすることが困難となり、また、記録物Ｓ１００の生産性や省エネルギーの観点からも不利であったが、本発明では、前記のように基材Ｓ１の厚みが比較的大きい場合であっても、前記のような問題の発生を確実に防止することができる。すなわち、前記のように基材Ｓ１の厚みが比較的大きい場合に本発明の効果がより顕著に発揮される。また、基材Ｓ１の厚みが前記範囲内の値であると、記録物Ｓ１００の高級感、耐久性を特に優れたものとすることができる。
【００５６】
基材Ｓ１は、ロール紙であることが好ましい。これにより、ロール状の記録用紙Ｓ１０を巻き取った状態（接着剤層Ｓ２が設けられた側の面と、その反対側の面が接触した状態。特に、比較的高い圧力で絞めつけられた状態。）で保存した場合であっても、接着剤層Ｓ２とそれに対向する基材Ｓ１との間で不本意な接着（ブロッキング）が発生することを確実に防止されるとともに、必要時（記録物Ｓ１００の製造時）には、加圧により十分な接着強度を容易に得ることができる。すなわち、基材Ｓ１がロール紙である場合に、本発明の効果がより顕著に発揮される。また、基材Ｓ１がロール紙である場合、ロール状の記録用紙Ｓ１０を巻き取った状態で、適度なグリップ力が得られるため、記録用紙Ｓ１０の巻き取り状態が不本意に緩んでしまうことが効果的に防止され、記録用紙Ｓ１０の保存を好適に行うことができる。また、基材Ｓ１がロール紙であると、ページ数、ページ幅等の条件が異なる複数種の記録物Ｓ１００を製造する場合であっても、半端な長さの記録用紙Ｓ１０が無駄となることをより好適に防止しつつ、記録物Ｓ１００の生産性を高いものとすることができる。すなわち、記録物を製造する際のオンデマンド性がより高いものとなる。
【００５７】
接着剤層Ｓ２は、記録物Ｓ１００の製造において、基材Ｓ１の画像が設けられた面とは反対側の面を貼り合わせる機能を有するものである。
そして、接着剤層Ｓ２は、感圧式接着剤を含む材料で構成されたものである。これにより、接着剤層Ｓ２のベタツキを抑えつつ、加圧により、十分な接着強度を得ることができる。また、記録物Ｓ１００の厚さが比較的大きいもの（接着すべき層が多数層積み重ねられたもの）であっても、容易に、全体に加える圧力の均等性を高くすることができるため、各部位での接着強度のばらつきを抑制することができる。また、接着に際して加熱が不要であるため、省エネルギーの観点からも好ましい。また、感圧式接着剤は所定以上の圧力が加えられた際には十分な粘着性が発揮されるが、それより小さい圧力（保存時の圧力や印刷時に加わる圧力等）では、ほとんど粘着性がないため、記録用紙Ｓ１０の接合位置の調整や折り曲げ操作を好適に行うことができる。そのため、位置合わせの困難性の問題の発生を効果的に防止することができる。また、感圧式接着剤を含む材料で構成された接着剤層Ｓ２が設けられていることにより、接着剤層Ｓ２は、適度なグリップ力を有することとなり、記録用紙Ｓ１０の搬送性を良好なものとすることができ、記録物製造装置１の搬送ローラーの空回り等を確実に防止することができ、所望の画像を目的の部位に確実に形成することができる。また、記録物製造装置１内で、基材Ｓ１に由来する紙粉の発生をより確実に防止することができ、記録物製造装置１のメンテナンスが容易となり、紙粉によるトラブルの発生を効果的に防止することができ、記録物Ｓ１００の生産性を優れたものとすることができる。
【００５８】
接着剤層Ｓ２を構成する感圧式接着剤としては、ポリイソプレンが好ましい。これにより、前述したような効果がより顕著に発揮される。また、ポリイソプレンは、柔軟性の高い材料であるため、記録用紙Ｓ１０の弾性が必要以上に大きくなることが防止され、取り扱いのし易さを保持することができるとともに、記録用紙Ｓ１０の撓みによる接着剤層Ｓ２の割れ等を確実に防止することができ、記録用紙Ｓ１０、および、これを用いて製造される本発明の記録物Ｓ１００の信頼性、耐久性を優れたものとすることができる。また、ポリイソプレンを含むことにより、記録物Ｓ１００の製造時においては、加圧により十分な接着強度を容易に得ることができる一方で、記録用紙Ｓ１０の保存時等に、記録用紙Ｓ１０を重ねて保存した場合や、ロール状の記録用紙Ｓ１０を巻き取った状態においては、不本意な接着（ブロッキング）が発生することがより確実に防止される。また、接着剤として一般的に用いられる酢酸ビニル系やアクリル系の樹脂のような特有の臭いを発することもない。
【００５９】
ポリイソプレンは、イソプレン（２−メチル−１，３ブタジエン）が重合した構造を有する化合物である。
接着剤層Ｓ２中に含まれるポリイソプレンの重量平均分子量は、１０万以上５０万以下であるのが好ましい。これにより、記録物においてより高い接着強度を得ることができ、また、記録物Ｓ１００の製造において、より低い圧力で十分な接着強度を得ることができるため、記録物製造装置１の小型化、簡略化を図ることができる。また、加熱することなく４０℃以下の室温下での加圧のみで、優れた接着性が得られる。これに対し、ポリイソプレンの重量平均分子量が前記下限値未満であると、接着剤層Ｓ２の柔軟性が不十分となり、加熱することなく４０℃以下の室温下での加圧のみで、接着することが困難になる可能性がある。また、ポリイソプレンの重量平均分子量が前記上限値を超えると、記録用紙Ｓ１０の弾性が大きくなり、記録用紙Ｓ１０、記録物Ｓ１００の取り扱い性が低下したり、記録用紙Ｓ１０、記録物Ｓ１００の信頼性、耐久性が低下する可能性がある。
【００６０】
なお、重量平均分子量は、例えば、東ソー株式会社製、ＨＬＣ−８３２０ＧＰＣを用いたゲル浸透クロマトグラフィー（ＧＰＣ）測定により求めることができる。なお、本明細書では、「重量平均分子量」としては、特に断りのない限り、前記のようにして求められた値のことを指すものとする。
接着剤層Ｓ２中におけるポリイソプレンの含有率は、７５質量％以上９５質量％以下であるのが好ましい。
【００６１】
また、接着剤層Ｓ２は、水溶性樹脂を含むものであってもよい。これにより、接着剤層Ｓ２による接着性を特に優れたものとすることができる。したがって、記録物Ｓ１００においてより高い接着強度を得ることができ、また、記録物Ｓ１００の製造において、より低い圧力で十分な接着強度を得ることができるため、記録物製造装置１の小型化、簡略化を図ることができる。
【００６２】
接着剤層Ｓ２中に含まれる水溶性樹脂としては、例えば、ポリビニルアルコールを含むものであるのが好ましい。これにより、前述したような水溶性樹脂を含むことによる効果がより顕著に発揮される。
ポリビニルアルコールの平均分子量は、４００以上２，０００以下であるのが好ましい。ポリビニルアルコールの平均分子量が前記下限値未満であると、記録用紙Ｓ１０を重ねて保存した場合や、ロール状の記録用紙Ｓ１０を巻き取った状態において、接着剤層Ｓ２とそれに対向する基材Ｓ１との間で不本意な接着（ブロッキング）が発生し易い。また、ポリビニルアルコールの平均分子量が前記上限値を超えると、接着剤層Ｓ２による接着性が低下する傾向が表れる。
【００６３】
接着剤層Ｓ２中におけるポリビニルアルコールの含有率は、５質量％以上２５質量％以下であるのが好ましい。これにより、接着剤層Ｓ２による接着性をさらに優れたものとすることができる。これに対し、ポリビニルアルコールの含有率が前記下限値未満であると、接着剤層Ｓ２による接着性が低下する傾向が表れる。また、ポリビニルアルコールの含有率が前記上限値を超えると、記録用紙Ｓ１０を重ねて保存した場合や、ロール状の記録用紙Ｓ１０を巻き取った状態において、接着剤層Ｓ２とそれに対向する基材Ｓ１との間で不本意な接着（ブロッキング）が発生し易い。
【００６４】
また、接着剤層Ｓ２中におけるポリイソプレンの含有率をＸＡ［重量％］、接着剤層Ｓ２中におけるポリビニルアルコールの含有率をＸＢ［重量％］とした場合、３≦ＸＡ／ＸＢ≦１９の関係を満足するのが好ましい。このような関係を満足することにより、接着剤層Ｓ２による接着性をさらに優れたものとすることができる。これに対し、ＸＡ／ＸＢが前記下限値未満であると、記録用紙Ｓ１０を重ねて保存した場合や、ロール状の記録用紙Ｓ１０を巻き取った状態において、接着剤層Ｓ２とそれに対向する基材Ｓ１との間で不本意な接着（ブロッキング）が発生し易い。また、ＸＡ／ＸＢが前記上限値を超えると、接着剤層Ｓ２による接着性が低下する傾向が表れる。
【００６５】
接着剤層Ｓ２は、ポリイソプレン以外の成分を含むものであってもよい。このような成分としては、例えば、界面活性剤、防腐剤・防かび剤、ｐＨ調整剤、酸化防止剤、金属トラップ剤、保湿剤、分散剤、分散助剤、充填剤、密着促進剤、凝集防止剤、光硬化性樹脂、熱硬化性樹脂、重合開始剤、重合禁止剤、等が挙げられる。
接着剤層Ｓ２の厚さは、特に限定されないが、１μｍ以上１０μｍ以下であるのが好ましい。これにより、最終的に得られる記録物Ｓ１００における接着強度、記録物Ｓ１００の耐久性を特に優れたものとすることができる。
【００６６】
接着剤層Ｓ２は、基材Ｓ１の全面に設けられたものであってよいし、一部のみに設けられたものであってもよい。例えば、接着剤層Ｓ２は、基材Ｓ１上に、線状、点状（ドット状）等の形態で付与されるものであってもよい。また、記録物Ｓ１００の製造において、記録用紙Ｓ１０の接合すべき面のうち一方の面に対応する部位にのみに接着剤層Ｓ２が設けられていてもよい。
【００６７】
特に、接着剤層Ｓ２が基材Ｓ１の全面に設けられたものであると、基材Ｓ１の端部のみに設けられた場合等に比べて、接着をしていない部位に隙間ができてしまうことをより確実に防止することができるとともに、ページを捲る際の操作性を特に優れたものとすることができ、また、最終的に得られる記録物Ｓ１００の高級感も特に優れたものとすることができる。
【００６８】
≪接着剤含有組成物≫
次に、記録用紙Ｓ１０の製造に好適に用いることのできる接着剤含有組成物について説明する。
接着剤含有組成物は、通常、液状をなすものである。
感圧式接着剤は、接着剤含有組成物中において、いかなる形態で含まれるものであってもよいが、分散媒中に分散する分散質として含まれているのが好ましい。これにより、乾燥効率が向上し、接着剤層パターンを精度良く形成できるという効果が得られる。
【００６９】
接着剤含有組成物中において感圧式接着剤が分散質として含まれるものである場合、感圧式接着剤の粒子の平均粒径は、１０ｎｍ以上１μｍ以下であるのが好ましく、１００ｎｍ以上１μｍ以下であるのがより好ましい。感圧式接着剤の粒子の平均粒子径が前記下限値未満であると、接着剤組成物により形成された接着剤層Ｓ２のベタつきが大きくなり、ロール状の記録用紙Ｓ１０を巻き取った状態においては、不本意な接着（ブロッキング）が発生するという問題を生じる可能性がある。また、感圧式接着剤の粒子の平均粒子径が前記上限値を超えると、良好な接着性が得られない可能性がある。
【００７０】
なお、平均粒子径は、例えば、動的光散乱法を用いた粒度分析計により測定される。エマルションに純水を加えて１００倍に希釈し、日機装社（Nikkiso Co., Ltd.）製、ナノトラックＵＰＡ−ＥＸ１５０を用いて測定される５０質量％数平均粒子径で表すことができる。なお、本明細書では、「平均粒子径」としては、特に断りのない限り、前記のようにして求められた値のことを指すものとする。
【００７１】
接着剤含有組成物中における感圧式接着剤の含有率は、２．５質量％以上２５質量％以下であるのが好ましい。感圧式接着剤の含有率が前記下限値未満であると、接着剤組成物により接着剤層Ｓ２を形成する場合において、接着剤層Ｓ２の厚さを確保するための生産効率が低下する可能性がある。また、感圧式接着剤の含有率が前記上限値を超えると、接着剤含有組成物の粘度が高くなり、例えば、記録用紙Ｓ１０の製造を行う際の接着剤含有組成物の取り扱いのし易さ（例えば、インクジェット法による吐出安定性等）が低下する可能性がある。
接着剤含有組成物は、少なくとも感圧式接着剤を含むものであればよいが、さらに他の成分を含むものであってもよい。
【００７２】
例えば、感圧式接着剤を溶解する溶媒、感圧式接着剤を分散する分散媒を含むものであってもよい。溶媒、分散媒としては、水、および、１ａｔｍ相当の沸点が７０℃以上２５０℃以下である水溶性有機溶剤を含有するものが、接着剤組成物中で樹脂を安定に存在させることができ、また、接着剤含有組成物をインクジェット法で吐出する場合において、接着剤含有組成物の吐出安定性を優れたものとすることができ、さらに接着剤組成物の揮発性に優れ、接着剤層パターンを精度良く形成することが可能となり、好ましい。
【００７３】
上記の水溶性有機溶剤としては、ラクタム類、カルボン酸エステル類、アルキレングリコールエーテル類、およびアルコール類から選ばれる１種以上を含む水性液体であることが好ましい。これらの中でも、２−ピロリドン類（γ−ブチロラクタム類）、乳酸エステル類、アルキレングリコールエーテル類、アルコール類を含む水性液体であることがより好ましい。
【００７４】
上記の水溶性有機溶剤として、以下に限定されないが、例えば、エタノール（沸点７８℃）、Ｎ−メチル−２−ピロリドン（沸点２０２℃）、Ｎ−エチル−２−ピロリドン（沸点２１２℃）、２−ピロリドン（沸点２４５℃）、ジメチルスルホキシド（沸点１８９℃）、乳酸メチル（沸点１４５℃）、乳酸エチル（沸点１５５℃）、乳酸イソプロピル（沸点１６８℃）、乳酸ブチル（沸点１８８℃）、エチレングリコールモノメチルエーテル（沸点１２４℃）、エチレングリコールジメチルエーテル（沸点８５℃）、エチレングリコールモノメチルエーテルアセテート（沸点１４５℃）、ジエチレングリコールモノメチルエーテル（沸点１９４℃）、ジエチレングリコールジメチルエーテル（沸点１６２℃）、ジエチレングリコールエチルメチルエーテル（沸点１７６℃）、ジエチレングリコールジエチルエーテル（沸点１８９℃）、プロピレングリコールモノメチルエーテル（沸点１２０℃）、プロピレングリコールジメチルエーテル（沸点９７℃）、ジプロピレングリコールモノメチルエーテル（沸点１８８℃）、ジプロピレングリコールジメチルエーテル（沸点１７１℃）、１，４−ジオキサン（沸点１０１℃）、エチレングリコール（沸点１９７℃）、ジエチレングリコール（沸点２４４℃）、プロピレングリコール（沸点１８８℃）、ジプロピレングリコール（沸点２３２℃）、１，３−プロパンジオール（沸点２１２℃）、１，４−ブタンジオール（沸点２３０℃）、ヘキシレングリコール（沸点１９８℃）、２，３−ブタンジオール（沸点７７℃）、ｎ−ブタノール（沸点１１８℃）、１，２−ヘキサンジオール（沸点２２４℃）、１，２−ペンタンジオール（沸点２０６℃）、ジエチレングリコールモノブチルエーテル（沸点１１６℃）、およびジエチレングリコールモノプロピルエーテル（沸点１５３℃）が挙げられる。
１ａｔｍ相当の沸点が７０℃以上２５０℃以下である水溶性有機溶剤は、１種単独で用いてもよく、２種以上を混合して用いてもよい。
【００７５】
特に、接着剤含有組成物は、感圧式接着剤の粒子を分散させる分散媒として、水を含むものであるのが好ましい。これにより、接着剤含有組成物中における感圧式接着剤の粒子の分散安定性を十分に優れたものとすることができ、記録用紙Ｓ１０の製造をより好適に行うことができる。また、水は、適度な揮発性を有するものであるため、保存時における組成変化をより確実に防止しつつ、記録用紙Ｓ１０の製造時においては容易に除去されるものであり、記録用紙Ｓ１０の生産性を向上させる上でも有利である。また、水を用いることによる環境に対する負荷を軽減することができる。
【００７６】
また、接着剤含有組成物中において感圧式接着剤が分散質として含まれるものである場合において、接着剤含有組成物が、前述したような水溶性樹脂を含むものであると、前記分散質の分散安定性、接着剤含有組成物の保存安定性等を特に優れたものとすることができる。その結果、例えば、接着剤含有組成物をインクジェット法で吐出する場合において、接着剤含有組成物の吐出安定性を特に優れたものとすることができる。
【００７７】
接着剤含有組成物が水溶性樹脂を含むものである場合、接着剤含有組成物中において、水溶性樹脂は溶解した状態で含まれているのが好ましい。これにより、前述したような効果がより確実に発揮される。
また、接着剤含有組成物が、前述したような含有率の関係でポリイソプレンとともにポリビニルアルコールを含むことにより、記録用紙Ｓ１０において前述したような効果が得られるとともに、接着剤含有組成物中においてポリイソプレンが分散質として含まれるものである場合において、前記分散質の分散安定性、接着剤含有組成物の保存安定性等をさらに優れたものとすることができ、例えば、接着剤含有組成物をインクジェット法で吐出する場合において、接着剤含有組成物の吐出安定性をさらに優れたものとすることができる。
【００７８】
また、接着剤含有組成物は、界面活性剤を含むものであってもよい。これにより、接着剤含有組成物による接着性を特に優れたものとすることができる。また、接着剤含有組成物が水溶性樹脂を含むものであると、接着剤含有組成物中に感圧式接着剤が分散質として含まれるものである場合において、前記分散質の分散安定性、接着剤含有組成物の保存安定性等を特に優れたものとすることができる。その結果、例えば、接着剤含有組成物をインクジェット法で吐出する場合において、接着剤含有組成物の吐出安定性を特に優れたものとすることができる。また、記録用紙Ｓ１０の製造において、形成される接着剤層Ｓ２の膜厚について不本意なばらつきが発生することをより効果的に防止することができる。
【００７９】
界面活性剤としては、例えば、カチオン性界面活性剤、アニオン性界面活性剤、ノニオン性界面活性剤、両性界面活性剤等を用いることができる。好ましい界面活性剤としては、アセチレングリコール系界面活性剤およびシリコーン系界面活性剤からなる群から選択される１種以上の界面活性剤が挙げられる。
【００８０】
アセチレングリコール系界面活性剤としては、例えば、２，４，７，９−テトラメチル−５−デシン−４，７−ジオール、３，６−ジメチル−４−オクチン−３，６−ジオール、３，５−ジメチル−１−ヘキシン−３オール、２，４−ジメチル−５−ヘキシン−３−オールが挙げられる。アセチレングリコール系界面活性剤の市販品として、例えば、オルフィンＥ１０１０、ＳＴＧ、Ｙ、サーフィノール１０４Ｅ、１０４Ｈ、１０４Ａ、１０４ＢＣ、１０４ＤＰＭ、１０４ＰＡ、１０４ＰＧ−５０、１０４Ｓ、４２０、４６５、４８５、ＴＧ、ＳＥ、ＳＥ−Ｆ、６１、８２、ＤＦ−１１０Ｄ（以上全て商品名、日信化学工業社（Nissin Chemical Industry CO.,Ltd.）製）、アセチレノールＥ００、Ｅ００Ｐ（以上全て商品名、川研ファインケミカル社（Kawaken Fine Chemicals Co.Ltd.）製）が使用可能である。
【００８１】
シリコーン系界面活性剤としては、ポリシロキサン系化合物が好ましく用いられ、ポリシロキサン系化合物の具体例として、ポリエーテル変性オルガノシロキサンが挙げられる。シリコーン系界面活性剤の市販品として、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４７、ＢＹＫ−３４８、ＢＹＫ−ＵＶ３５００、３５１０、３５３０、３５７０（以上全て商品名、ビックケミー・ジャパン社製）が使用可能である。
特に好ましい界面活性剤は、シリコーン系界面活性剤と、ＨＬＢ値が１７以下のアセチレングリコール系界面活性剤と、を共に含む組み合わせである。
【００８２】
また、前述の水溶性有機溶剤と界面活性剤とを組み合わせて、上記接着剤組成物の表面張力を２３．０ｍＮ／ｍ以上４０．０ｍＮ／ｍ以下の範囲とすることが好ましく、より好ましくは２５．０ｍＮ／ｍ以上３５．０ｍＮ／ｍ以下の範囲である。接着剤組成物の表面張力が上記範囲内であると、インクジェットヘッドにおける吐出安定性に優れる。
【００８３】
接着剤含有組成物は、前述した以外の成分（その他の成分）を含むものであってもよい。このような成分としては、例えば、防腐剤・防かび剤、ｐＨ調整剤、酸化防止剤、金属トラップ剤、保湿剤、分散剤、分散助剤、充填剤、密着促進剤、凝集防止剤、光硬化性樹脂、熱硬化性樹脂、重合開始剤、重合禁止剤、等が挙げられる。防腐剤・防かび剤として、例えば、安息香酸ナトリウム、ペンタクロロフェノールナトリウム、２−ピリジンチオール−１−オキサイドナトリウム、ソルビン酸ナトリウム、デヒドロ酢酸ナトリウム、１，２−ジベンジソチアゾリン−３−オン（Arch Chemicals社製のＰｒｏｘｅｌ−ＣＲＬ、Ｐｒｏｘｅｌ−ＢＤＮ、Ｐｒｏｘｅｌ−ＧＸＬ、Ｐｒｏｘｅｌ−ＸＬ２、Ｐｒｏｘｅｌ−ＴＮ）が挙げられる。
【００８４】
ｐＨ調整剤として、例えば、水酸化ナトリウム、水酸化カリウム等の無機アルカリ、アンモニア、ジエタノールアミン、トリエタノールアミン、トリイソプロパノールアミン、モルホリン、リン酸二水素カリウム、およびリン酸水素二ナトリウムが挙げられる。
金属トラップ剤として、例えば、エチレンジアミン４酢酸２ナトリウム等が挙げられる。
【００８５】
接着剤含有組成物は、いかなる方法で、基材Ｓ１に付与されるものであってもよく、例えば、バーコート、スピンコート、ロールコート、スリットコート、刷毛塗り等の各種塗布法、オフセット印刷、グラビア印刷、インクジェット法等の各種印刷法を用いて行うことができるが、インクジェット法が好ましい。これにより、極めて簡便に接着剤層のパターン付与を実現することができ、少量多品種の記録物を効率良く、安価で短時間での製造が可能となる。
【００８６】
単位面積当たりの基材Ｓ１への接着剤含有組成物の付与量は、特に限定されないが、０．１ｇ／ｍ２以上２０ｇ／ｍ２以下であるのが好ましく、０．５ｇ／ｍ２以上１０ｇ／ｍ２以下であるのがより好ましい。これにより、最終的に得られる記録物Ｓ１００における接着強度を特に優れたものとすることができる。
【００８７】
≪記録物≫
次に、本発明の記録物について説明する。
本発明の記録物は、前述したような本発明の方法を用いて製造されたものである。これにより、位置合わせの困難性等の問題の発生が効果的に防止され、用紙の画像が設けられた面とは反対側の面を貼り合わせた記録物（フォトブック等）を提供することができる。
【００８８】
なお、本発明において、記録物とは、インクジェット法により形成された画像を有する用紙の前記画像が設けられた面とは反対側の面を貼り合わせたものであればよく、具体的には、例えば、フォトブック、カレンダー、グリーティングカード、カタログ、単行本、文庫本、論文等が挙げられる。
中でも、記録物は、フォトブックであることが好ましい。
【００８９】
フォトブックは、鑑賞用のものであり、見開き一面のインパクトある表現などが求められるものであるが、従来においては、このような表現が困難であった。これに対し、本発明では、見開き一面のインパクトある表現などが可能である。すなわち、記録物としてのフォトブックに適用した場合に、本発明の効果がより顕著に発揮される。
【００９０】
図６に示すように、本実施形態の記録物Ｓ１００では、印刷部Ｓ３が設けられた基材Ｓ１と、接着剤層Ｓ２とを有する記録用紙Ｓ１０が、所定の幅で、山折り、谷折りで交互に折り曲げられ、当該記録用紙Ｓ１０の接着剤層Ｓ２が形成された部位同士が接合された構造を有している。
【００９１】
図６に示す構成では、便宜上、記録物Ｓ１００のページ数（表紙、裏表紙を含む）が６ページであるものとして示しているが、これに限定されない。記録物Ｓ１００のページ数（表紙、裏表紙を含む）は、６ページ以上であるのが好ましく、８ページ以上８０ページ以下であるのがより好ましい。このように、記録物のページ数が比較的大きいものであると、記録物の製造にホットメルト接着剤を用いた場合等には、厚さ方向の中心部付近にまで十分な熱を与えることが困難であり、接着性（接合力）を十分に高いものとすることが困難となり、また、記録物の生産性や省エネルギー、記録物の耐久性の観点からも不利であったが、本発明では、前記のように記録物のページ数が比較的大きい場合であっても、前記のような問題の発生を確実に防止することができる。すなわち、前記のように記録物のページ数が比較的大きい場合に本発明の効果がより顕著に発揮される。また、記録物のページ数が前記範囲内の値であると、記録物の高級感、耐久性を特に優れたものとすることができる。また、一般に、印刷位置、筋入れの位置のずれを生じると、ページ数の増加に伴い、これらのずれが累積するという問題があり、従来では、ページ数の多い記録物を、前記のようなずれを防止しつつ製造することは極めて困難であったが、本発明では、ページ数の多い記録物であってもこのような問題の発生を確実に防止・抑制することができる。すなわち、記録物のページ数が前記のように多いものである場合に、本発明の効果はより顕著に発揮される。
【００９２】
記録物Ｓ１００の厚さは、特に限定されないが、３ｍｍ以上であるのが好ましく、５ｍｍ以上５０ｍｍ以下であるのがより好ましい。このように、記録物の厚みが比較的大きいものであると、記録物の製造にホットメルト接着剤を用いた場合等には、厚さ方向の中心部付近にまで十分な熱を与えることが困難であり、接着性（接合力）を十分に高いものとすることが困難となり、また、記録物の生産性や省エネルギー、記録物の耐久性の観点からも不利であったが、本発明では、前記のように記録物の厚みが比較的大きい場合であっても、前記のような問題の発生を確実に防止することができる。すなわち、前記のように記録物の厚みが比較的大きい場合に本発明の効果がより顕著に発揮される。また、記録物の厚みが前記範囲内の値であると、記録物の高級感、耐久性を特に優れたものとすることができる。
以上、本発明について、好適な実施形態に基づいて説明したが、本発明はこれらに限定されるものではない。
【００９３】
例えば、前述した実施形態では、断裁工程を有するものとして説明したが、断裁工程はなくてもよい。
また、本発明においては、前述した工程に加え、他の工程（前工程、中間工程、後工程）を有していてもよい。
また、各工程の順番は前述のものに限定されない。例えば、前述した実施形態では、断裁工程は、筋入れ工程と加圧工程との間に行うものとして説明したが、断裁工程は、例えば、画像形成工程と筋入れ工程との間に行うものであってもよい。
【００９４】
また、前述した実施形態では、記録物製造装置を構成する加圧手段により加圧工程を行い、これにより、記録物を得るものとして説明したが、記録物製造装置を構成する加圧手段は、位置ずれを防止する程度の接合力を得るための処理（仮接合）を行うものであり、その後、他の装置を用いて、最終的な接合処理（本接合）を行うものであってもよい。
また、加圧手段は、図示のような構成のものに限定されず、例えば、ロール状のもの（加圧ローラー）であってもよい。
【００９５】
また、前述した実施形態では、単一の装置内で各工程を行うものとして説明したが、前述した工程のうち少なくとも１つを、他の装置により行ってもよいし、装置を用いることなく手作業で行ってもよい。
また、前述した実施形態では、記録物が１枚の記録用紙を用いて製造されたものである場合について説明したが、記録物の製造においては、複数枚の記録用紙を用いてもよい。
【００９６】
また、前述した実施形態では、筋入れ部（クリーサーユニット）が、回転ブレードを備えるものについて代表的に説明したが、筋入れするための手段はこれに限らない。例えば、回転機構を有さないもの、より具体的には、記録用紙の略法線方向に相対的に移動可能な長尺状の板部材を備えるものや、記録用紙の幅方向に相対的に移動可能なドットインパクトヘッドを備えたもの等であってもよい。
また、上記のよう機械的に筋入れを行う動作以外にも、レーザーを照射して記録用紙に小さな孔を多数形成することによって記録用紙に筋入れを行うこととしてもよい。
【００９７】
また、前述した実施形態では、予め接着剤層が設けられた記録用紙を用意し、これを用いて記録物を製造する場合について代表的に説明したが、例えば、接着剤層を有さない記録媒体（基材）を用意し、これに、記録物の製造時（インクジェット法による記録部の形成時）に接着剤含有組成物を付与して、接着剤層を有する記録用紙を製造してもよい。これにより、例えば、記録物製造装置内での接着剤層とそれに対向する基材との間で不本意な接着（ブロッキング）が発生をより確実に防止することができる。また、製造すべき記録物の形態（例えば、大きさ、ページ数等）に応じて、接着剤含有組成物の付与量や付与パターンを調整することができ、接着剤含有組成物の使用量の抑制につながり、省資源等の観点からも好ましい。
【実施例】
【００９８】
（実施例１）
［１］接着剤含有組成物の製造
以下のようにして、接着剤含有組成物を製造した。
平均粒子径：３００ｎｍの粒子状のポリイソプレン（重量平均分子量：２００，０００）と、平均分子量５００のポリビニルアルコール（けん化度：９６ｍｏｌ％以上）、１，２−ヘキサンジオール（以下、「１，２−ＨＤ」ともいう。）、２−ピロリドン（以下、「２−Ｐｙ」ともいう。）、プロピレングリコール（以下、「ＰＧ」ともいう。）、界面活性剤としてのＢＹＫ−３４８、Ｐｒｏｘｅｌ−ＸＬ２（防腐剤、Arch Chemicals社製商品名）、およびイオン交換水を添加し、４０℃で２０分間攪拌した。攪拌後、５μｍ径のメンブランフィルターにて濾過し、表１に示す分量（質量部）の接着剤含有組成物を調製した。
【００９９】
［２］記録用紙の製造
前記のようにして得られた接着剤含有組成物を用いて、以下のようにして記録用紙を製造した。
まず、記録媒体（基材）として、ロール紙（セイコーエプソン株式会社製、スーパーファイン紙ロールタイプ、２１０ｍｍ×２０ｍ）を用意した。
【０１００】
次に、ピエゾ素子の駆動波形を最適化した状態で、記録媒体の一方の面全体に、インクジェット法により、接着剤含有組成物を付与した。単位面積当たりの記録媒体への接着剤含有組成物の付与量は、３０ｇ／ｍ２とした。
その後、７０℃の温風を１分間かけることにより、接着剤層が形成された。形成された接着剤層の厚さ（乾燥膜厚）は、３μｍであった。
【０１０１】
［３］記録物の製造
前記のようにして得られた記録用紙および図２〜図４に示すような記録物製造装置を用いて前述したような作動を行い、画像形成工程と、筋入れ工程と、断裁工程と、加圧工程とを有する方法で記録物を製造した。
画像形成工程では、見開きページ２ページで一枚の写真（一枚の画像）が現れるように画像を形成した。
【０１０２】
筋入れ工程では、山折りと谷折りとが交互に出現するように筋を入れた。
断裁工程は、最終的に得られる記録物のページ数（表紙、裏表紙を含む）が４０ページとなるように、画像および筋が設けられた記録用紙を断裁した。
加圧工程は、室温下で３分間所定の圧力でプレスすることにより、記録物を製造した。
また、加圧工程での圧力を５ｋｇ／ｃｍ２〜１００ｋｇ／ｃｍ２の範囲で変更することにより、複数の記録物を製造した。
【０１０３】
（実施例２、３）
接着剤含有組成物の製造に用いる成分、配合量を変更することにより、表１に示すような組成となるようにするとともに、記録媒体への付与量を調整することにより、記録用紙の構成が表１に示すものとなるようにした以外は、前記実施例１と同様にして、記録用紙、記録物を製造した。
【０１０４】
（比較例１）
接着剤層を有さない記録媒体（基材）を記録物製造装置に適用した以外は、前記実施例と同様の処理を行った。
その後、記録媒体（基材）の画像が形成された面とは反対側の面全体に糊を塗布し、これを印刷部が形成された記録用紙とした。そして、当該印刷部が形成された記録用紙を筋に沿って折り曲げた状態で、押圧することにより、接着し、記録物を得た。
【０１０５】
（比較例２）
１，２−ＨＤ、２−Ｐｙ、ＰＧ、接着剤成分としてホットメルト接着剤であるエマルション形態の樹脂、ポリゾールＡＭ７１０（アクリル樹脂エマルション、ガラス転移温度（Ｔｇ）：５６℃、有効成分５１質量％）、ＢＹＫ−３４８、Ｐｒｏｘｅｌ−ＸＬ２、およびイオン交換水を混合し、４０℃で２０分間攪拌後、５μｍ径のメンブランフィルターにて濾過し、表１に示す分量（質量部）の接着剤含有組成物を調製した。
【０１０６】
その後、得られた接着剤含有組成物を用いて前記実施例１と同様にして記録用紙、記録物を製造した。
前記各実施例および比較例の記録用紙、記録物の製造に用いた接着剤含有組成物の条件、前記各実施例および比較例の記録用紙の接着剤層の構成等を表１にまとめて示した。
【０１０７】
【表１】
2016101723.tif 000002
【０１０８】
［４］評価
［４．１］生産性
前記各実施例および比較例について、記録物の生産性を以下の基準に従い評価した。
ＡＡ：７ｋｇ／ｃｍ２未満の圧力で接着可能であり、記録物の生産性が極めて優れてい
る。
Ａ：７ｋｇ／ｃｍ２以上１３ｋｇ／ｃｍ２未満の圧力で接着可能であり、記録物の生
産性が優れている。
Ｂ：１３ｋｇ／ｃｍ２以上３０ｋｇ／ｃｍ２未満の圧力で接着可能であり、記録物の
生産性が良好である。
Ｃ：３０ｋｇ／ｃｍ２以上６０ｋｇ／ｃｍ２未満の圧力で接着可能である、記録物の
生産性がやや劣る。
Ｄ：６０ｋｇ／ｃｍ２以上１００ｋｇ／ｃｍ２以下の圧力で接着可能であり、記録物
の生産性が劣る。
Ｅ：１００ｋｇ／ｃｍ２の圧力でも接着不可能であり、記録物の製造は不能、または
、生産時間が著しく長く、記録物の生産性に劣っている。
【０１０９】
［４．２］接着性（外観）
前記［４．１］で製造した各フォトブックを目視により観察し、記録物の接着性を以下の基準に従い評価した。
Ａ：記録用紙が確実に接着されており、不本意な浮き、剥がれ、厚みのばらつき、
接着剤のはみ出しが一切認められない。
Ｂ：記録用紙が確実に接着されており、不本意な浮き、剥がれ、厚みのばらつき、
接着剤のはみ出しがほとんど認められない。
Ｃ：記録用紙の接着部において、不本意な浮き、剥がれ、厚みのばらつき、接着剤
のはみ出しのうち少なくとも１つがわずかに認められる。
Ｄ：記録用紙の接着部において、不本意な浮き、剥がれ、厚みのばらつき、接着剤
のはみ出しのうち少なくとも１つがはっきりと認められる。
Ｅ：記録用紙の接着部において、不本意な浮き、剥がれ、厚みのばらつき、接着剤
のはみ出しのうち少なくとも１つが顕著に認められる。または、接着できなか
った。
【０１１０】
［４．３］ブロッキング評価
前記各実施例および比較例の［２］で用いた各記録用紙について、φ２インチ紙管に巻き取り所定の環境下で１時間放置し、印刷用の面と接着剤層との不本意な接着（ブロッキング）が発生するかどうか試験を行い、以下の基準に従い評価した。
Ａ：４０℃の環境下でブロッキングが発生しない。
Ｂ：２５℃以上４０℃未満の環境下でブロッキングが発生しない。
Ｃ：５℃以上２５℃未満の環境下でブロッキングが発生しない。
Ｅ：５℃未満の環境下でブロッキングが発生する。
これらの結果を表２に示す。
【０１１１】
【表２】
2016101723.tif 000003
【０１１２】
表２から明らかなように、本発明では、満足のいく結果が得られたのに対し、比較例では、満足のいく結果が得られなかった。具体的には、自然状態で粘着性の高い接着剤を用いた比較例１では、接着剤のベタツキのため、記録物の製造における作業性に劣り、記録物の生産性に劣るとともに、製造された記録物の外観、接着強度にも劣っていた。また、ホットメルト接着剤を用いた比較例２では、比較例１に比べて記録用紙、記録物の製造における作業性はやや改善していたものの、記録物の厚さ方向の中心部付近における接着性が不十分であり、外観も劣っていた。なお、比較例１の接着剤含有組成物を予め記録媒体に付与し、その後、当該記録物に対し、インクジェット法により画像を形成することを試みたところ、インクジェットプリンター（液滴吐出装置）内で紙詰まりが発生し、目的の画像を形成することができなかった。
【符号の説明】
【０１１３】
１…記録物製造装置  ２…コンピューター  １０…給紙ユニット  １１…給紙ロール軸  １２…給紙ロールモーター  ２０…送り出しユニット  ２１ａ…送り出しローラー  ２１ｂ…従動ローラー  ２２…送り出しモーター  ３０…搬送ユニット（搬送部）  ３１ａ…搬送ローラー  ３１ｂ…従動ローラー  ３２…搬送モーター  ４０…挟持ユニット（挟持部）  ４１ａ…下側挟持ローラー  ４１ｂ…上側挟持ローラー  ４２ａ…上側挟持モーター  ４２ｂ…上側挟持モーター  ５０…排出ユニット  ５１ａ…上流側の排出ローラー  ５１ｂ…従動ローラー  ５２…上流側の排出モーター  ５３…排紙トレイ  ５５ａ…下流側の排出ローラー  ５５ｂ…従動ローラー  ５６…下流側の排出モーター  ６０…印刷ユニット  ６１…キャリッジ  ６２…ガイド軸  ６４…印刷ヘッド（ヘッド）  ７０…クリーサーユニット（筋入れ部）  ７１…回転ブレード  ７１ａ…軸  ７１ｂ…ブレード  ７２…ブレード受け部材  ８０…断裁ユニット（断裁部）  ８１…カッター  ８２…カッター受け部材  ８４…ドットインパクトヘッド  ８５…プラテン  ９０…コントローラー  ９１…インターフェース  ９２…ＣＰＵ  ９３…メモリー  ９４…ユニット制御回路  ９５…検出器群  ９５ａ…光学センサー  ９７…加圧手段  Ｓ１００…記録物  Ｓ１０…記録用紙（用紙）  Ｓ１…基材  Ｓ２…接着剤層  Ｓ３…印刷部（画像）  Ｓ４…筋
【図１】
2016101723.tif 000004
【図２】
2016101723.tif 000005
【図３】
2016101723.tif 000006
【図４】
2016101723.tif 000007
【図５】
2016101723.tif 000008
【図６】
2016101723.tif 000009